(57)【要約】【課題】監視カメラシステムのように画像信号を複数チャネル入力するようなシステムにおいても、動画像をより正確に表示又は記録できる画像信号入出力装置、画像表示装置、画像記録装置を提供する。【解決手段】少なくとも第１のチャネルと第２のチャネルの画像信号を入力する画像信号入力回路１２と、画像フィールドを切り換える同期信号を生成する同期信号生成回路１１と、該同期信号が第１フィールドの時に前記第１のチャネルの信号を選択し、第２フィールドの時に前記第２のチャネルの信号を選択する画像信号選択回路１３と、を有する構成とした。【選択図】  図１
2004320499.tif 000002
【特許請求の範囲】
【請求項１】
少なくとも第１のチャネルと第２のチャネルの画像信号を入力する画像信号入力回路と、
画像フィールドを切り換える同期信号を生成する同期信号生成回路と、
該同期信号が第１フィールドの時に前記第１のチャネルの信号を選択し、第２フィールドの時に前記第２のチャネルの信号を選択する画像信号選択回路と、
該画像信号選択回路の出力信号を出力する画像信号出力回路と、
を有することを特徴とする画像信号入出力装置。
【請求項２】
請求項１記載の画像信号入出力装置において、
前記入力した画像信号を前記同期信号生成回路の生成する同期信号に同期化させる画像信号同期化回路を有することを特徴とする画像信号入出力装置。
【請求項３】
少なくとも第１のチャネルと第２のチャネルの画像信号を入力する画像信号入力回路と、
画像フィールドを切り換える同期信号を生成する同期信号生成回路と、
該同期信号が第１フィールドの時に前記第１のチャネルの信号を選択し、第２フィールドの時に前記第２のチャネルの信号を選択する画像信号選択回路と、
該画像信号選択回路の出力信号をモニタ画面に表示させる表示回路と、
を有することを特徴とする画像信号表示装置。
【請求項４】
請求項３記載の画像信号表示装置において、
前記入力した画像信号を前記同期信号生成回路の生成する同期信号に同期化させる画像信号同期化回路を有することを特徴とする画像信号表示装置。
【請求項５】
請求項３または４記載の画像信号表示装置において、
前記表示回路は、モニタ画面に複数チャネルの分割画面として表示することを特徴とする画像信号表示装置。
【請求項６】
請求項３または４記載の画像信号表示装置において、
前記画像信号入力回路にはＮチャネルの画像信号を入力し、
前記表示回路は、モニタ画面に表示する各チャネルの画像の更新をそれぞれＮフィールド毎に行うことを特徴とする画像信号表示装置。
【請求項７】
少なくとも第１のチャネルと第２のチャネルの画像信号を入力する画像信号入力回路と、
画像フィールドを切り換える同期信号を生成する同期信号生成回路と、
該同期信号が第１フィールドの時に前記第１のチャネルの信号を選択し、第２フィールドの時に前記第２のチャネルの信号を選択する画像信号選択回路と、
該画像信号選択回路の出力信号を記録媒体に記録する記録回路と、
を有することを特徴とする画像信号記録装置。
【請求項８】
請求項７記載の画像信号記録装置において、
前記入力した画像信号を前記同期信号生成回路の生成する同期信号に同期化させる画像信号同期化回路を有することを特徴とする画像信号記録装置。
【発明の詳細な説明】
【０００１】
【発明の属する技術分野】
本発明は、例えば監視カメラシステムのように複数チャネルの画像信号を入力する場合に好適な画像信号入出力装置、表示装置及び記録装置に関する。
【０００２】
【従来の技術】
画像信号を輝度と色差のデジタルデータで伝送する方式として、ＩＴＵ−Ｒ  Ｒｅｃ６０１（例えば、非特許文献１等参照）やＩＴＵ−Ｒ  Ｒｅｃ６５６（例えば、非特許文献２等参照）などが知られている。これらの方式は、ＮＴＳＣやＰＡＬなどのインターレースのテレビジョン信号をもとにしており、１フレームは２フィールドから構成されている。よって複数チャネルの画像信号を入力する監視カメラシステムにおいても、各チャネルの信号はフレーム単位（すなわち２フィールド単位）で処理されていた。
【０００３】
【非特許文献１】
ＩＴＵ−Ｒ  Ｒｅｃ６０１規格書
【非特許文献２】
ＩＴＵ−Ｒ  Ｒｅｃ６５６規格書
【０００４】
【発明が解決しようとする課題】
上記監視カメラシステムにおいては、複数チャネルのアナログ信号を入力し、１フレームごとにチャネルを切り替えて、記録または分割画面表示する。このようなシステムでは記録や分割画面表示の１チャネルあたりのフレームレートを上げ、動画像をより正確に記録又は表示することが望まれているが、例えば、上記従来技術のＩＴＵ−Ｒ  Ｒｅｃ６０１やＩＴＵ−Ｒ  Ｒｅｃ６５６規格に基づいた記録表示システムの場合、記録表示するチャネル数をＮとすると、１チャネルあたりのフレームレートが３０／Ｎ（フレーム／秒）でしか記録、表示することができない。
【０００５】
そこで、例えば記録の場合は複数個の信号選択手段と圧縮手段を設けて複数の圧縮画像データを記録することが考えられ、分割画面表示の場合には複数個の信号選択手段、画像を縮小する機能、縮小した画像を所定の位置に貼り付ける機能を設けることが考えられる。しかしながら、いずれもシステムの規模が大きくなったり、ＬＳＩや機器間の信号本数が増えたりして得策ではない。
【０００６】
本発明の目的は、複数チャネル入力するようなシステムにおいても、動画像をより正確に表示又は記録できる画像信号入出力装置、表示装置、記録装置を提供することにある。
【０００７】
【課題を解決するための手段】
上記の課題を解決するために本発明にかかる画像信号入出力装置、表示装置、記録装置は、少なくとも第１のチャネルと第２のチャネルの画像信号を入力する画像信号入力回路と、画像フィールドを切り換える同期信号を生成する同期信号生成回路と、該同期信号が第１フィールドの時に前記第１のチャネルの信号を選択し、第２フィールドの時に前記第２のチャネルの信号を選択する画像信号選択回路と、を有する構成とした。
【０００８】
さらに本発明にかかる装置は、前記入力した画像信号を前記同期信号生成回路の生成する同期信号に同期化させる画像信号同期化回路を有する構成とした。
【０００９】
すなわち従来の信号処理は標準信号との互換性を得るため、ＩＴＵ−Ｒ  Ｒｅｃ６０１やＩＴＵ−Ｒ  Ｒｅｃ６５６規格に基きフレーム単位でチャネル選択したが、本発明ではフィールド単位でチャネル選択するという新たな手法を取り入れたものであって、これについては従来考慮されていない。
【００１０】
【発明の実施の形態】
図１は、本発明の画像信号入出力装置の第１の実施形態を示すブロック図であり、図２は、図１における各部の信号の例である。１１は同期信号生成回路、１２は画像信号入力回路、１３は画像信号選択回路、１４は画像信号出力回路である。２１は画像信号入力回路１２に入力される各チャネルの画像信号、２２は垂直同期パルス、２３はフィールドパルス、２４は画像信号出力回路１４の出力信号である。
【００１１】
画像信号入力回路１２にはチャネル１とチャネル２の２つの画像信号が入力される。各チャネルの信号は図２の２１に示すように、１フレームがｏｄｄフィールドとｅｖｅｎフィールドで構成されている。同期信号生成回路１１は、例えば図２の２２と２３に示すような同期信号を生成し、画像信号選択回路１３と画像信号出力回路１４に供給する。画像信号選択回路１３は同期信号生成回路１１から供給されるフィールドパルスによって、チャネル１，２の画像信号を選択する。画像信号選択回路１３の出力信号は画像信号出力回路１４に供給される。これにより、画像信号出力回路１４からは１フレームの期間に２チャネル分の画像信号２４が出力される。
【００１２】
本実施形態は、画像信号選択回路１３がフィールド毎に第１、第２の異なるチャネルを選択することにより、画像信号出力回路１４からは一般的な規格であるＩＴＵ−Ｒ  Ｒｅｃ６０１やＩＴＵ−Ｒ  Ｒｅｃ６５６などの信号の２倍のフレームレートで画像信号を出力することができる。
【００１３】
図３は、本発明の画像信号入出力装置の第２の実施形態を示すブロック図であり、入力チャネル数を４チャネルにした場合である。図４は、図３における各部の信号の例を示す。図１、図２に対応する部分には同一符号を付けて重複する説明を省略する。
【００１４】
第２の実施形態では、入力チャネル数を４チャネルにしたものであり、２組の第２の画像信号選択回路３１と、それを制御する選択制御回路３２を設けている。画像信号選択回路１３の出力信号は、図４の２４のように２フレームの期間に４チャネル分の画像信号が出力される。このように、本実施形態でも１チャネルあたりのフレームレートを倍増させる効果が得られる。さらに多チャネル入力の場合にも、同様の方法で対応することができる。
【００１５】
図５は、本発明の画像信号入出力装置の第３の実施形態を示すブロック図である。図６は、図５における各部の信号の例である。図５において、５１は２組のＡ／Ｄ変換器、５２は２組の同期化回路である。図１及び図３に対応する部分には同一符号を付けて重複する説明を省略する。
【００１６】
６１は画像信号入力回路１２に入力されるチャネル１の画像信号、６２はチャネル２の画像信号、６３はチャネル３の画像信号、６４はチャネル４の画像信号、６５は２組の同期化回路５２の一方の出力信号、６６は同期化回路５２の他方の出力信号である。
【００１７】
本実施形態は、各チャネルの入力信号がアナログビデオ信号であり、それぞれの信号が非同期の場合のものである。画像信号入力回路１２に入力された各チャネルの信号は第２の画像信号選択回路３１でチャネル選択された後、Ａ／Ｄ変換器５１にてデジタル信号に変換され、同期化回路５２によって同期信号生成回路１１から供給される同期信号に同期化される。同期化の方法として、入力された信号を一旦メモリに記憶し、それを同期化したい同期信号に合わせて読み出すことで実現できる。同期信号生成回路１１によって同期化された画像信号は図６の６５、６６のようになり、これらを画像信号選択回路１３によってフィールド毎に選択することにより、図６の２４のように１フレームの期間に２チャネル分（２フレームの期間に４チャネル分）の画像信号が出力される。
【００１８】
本実施形態は、非同期のアナログビデオ信号を扱う監視カメラシステムのような装置に有効であり、前記同様に１チャネルあたりのフレームレートの増大の効果が得られる。
【００１９】
図７は、本発明の画像信号表示装置の第４の実施形態を示すブロック図である。図７において、７１は表示回路、７２はモニタである。図１、図３、及び図５に対応する部分には同一符号を付けて重複する説明を省略する。
【００２０】
図８は、図７における表示回路７１によるモニタ７２の表示例を示し、本実施形態ではチャネル１からチャネル４までを分割表示するものとする。
【００２１】
本実施形態は、第３の実施形態における画像信号出力回路１４の出力信号を表示回路７１に供給するものである。表示回路７１は画像を縮小する機能、縮小した画像を所定の位置に貼り付ける機能を有し、図４の２４に示すような信号を入力すると、図８に示すような分割画面を表示させるものとする。表示回路７１の入力信号が図４の２１に示すような１フレームの期間に１フレームの画像信号であれば、４チャネル入力の場合は、あるチャネルの画像が更新されるのは４フレームの期間を要することになる。しかし、本実施形態では図４の２４に示すように１フレームの期間に２フレーム（２チャネル）分の画像信号を表示することができる為、更新期間を２フレームに短縮することができる。本実施形態の画像信号出力回路１４と表示回路７１のインターフェースは、例えば、２つのＬＳＩ間のインターフェース、あるいは、スイッチャー機器と表示機器の間のインターフェースなどが使用できる。
【００２２】
図９は、本発明の画像信号記録装置の第５の実施形態を示すブロック図である。図９において、９１は記録回路である。図１、図３、及び、図５に対応する部分には同一符号を付けて重複する説明を省略する。
【００２３】
本実施形態は、第３の実施形態における画像信号出力回路１４の出力信号を記録回路９１に供給するものである。記録媒体はハードディスクや半導体メモリなどが適する。記録する前に画像圧縮を行なってもよく、その場合には１フィールドで１ピクチャの圧縮をするフィールドエンコードを行なう。本実施形態は、監視カメラシステムのように、複数チャネルの画像を記録するような記録装置に有効である。記録回路９１の入力信号が図４の２１に示すような１フレームの期間に１フレームの画像信号であれば、４チャネル記録では、それぞれのチャネルの記録レートは最高でも７．５フレーム／秒になる。しかしながら、本実施形態では図４の２４に示すように１フレームの期間に２フレーム分の画像信号を入力する為、記録レートを１５フレーム／秒にすることが可能になる。第４の実施形態同様、画像信号出力回路１４と記録回路９１のインターフェースは、２つのＬＳＩ間のインターフェースや、スイッチャー機器と表示機器の間のインターフェースなどが使用できる。
【００２４】
【発明の効果】
本発明によれば、動画像をより正確に表示又は記録できる画像信号入出力装置、表示装置、記録装置を提供できる。
【図面の簡単な説明】
【図１】本発明の画像信号入出力装置の第１の実施形態を示すブロック図。
【図２】図１における各部の信号の例。
【図３】本発明の画像信号入出力装置の第２の実施形態を示すブロック図。
【図４】図３における各部の信号の例。
【図５】本発明の画像信号入出力装置の第３の実施形態を示すブロック図。
【図６】図５における各部の信号の例。
【図７】本発明の画像信号表示装置の第４の実施形態を示すブロック図。
【図８】図７における表示回路７１によるモニタ７２の表示例。
【図９】本発明の画像信号記録装置の第５の実施形態を示すブロック図。
【符号の説明】
１１・・・同期信号生成回路
１２・・・画像信号入力回路
１３・・・画像信号選択回路
１４・・・画像信号出力回路
３１・・・第２の画像信号選択回路
３２・・・選択制御回路
５１・・・Ａ／Ｄ変換器
５２・・・同期化回路
７１・・・表示回路
７２・・・モニタ
９１・・・記録回路
【図１】
2004320499.tif 000003
【図２】
2004320499.tif 000004
【図３】
2004320499.tif 000005
【図４】
2004320499.tif 000006
【図５】
2004320499.tif 000007
【図６】
2004320499.tif 000008
【図７】
2004320499.tif 000009
【図８】
2004320499.tif 000010
【図９】
2004320499.tif 000011